(57)【要約】【課題】本願の課題の一例は、ユーザがプレーヤ等の情報再生装置に、画像および音声等のデータが記録された記録媒体を挿入してから、画像および音声等のデータの再生が情報再生装置において開始されるまでの時間を短くすることができる情報再生装置、情報再生装置の制御方法、情報再生装置の制御プログラム、および情報再生装置の制御プログラムを提供することを目的とする。【解決手段】本実施形態にかかわる情報再生装置は、記録媒体に記録された情報を再生する場合に、ユーザが選択した再生方法によれば記録媒体に不要な情報が記録されている場合には、記録媒体から不要な情報を読まないこと、又は、一旦読み取ったユーザが指定する不要情報を情報再生装置内で処理しないことを特徴とする。【選択図】図１
2007280557.tif 000002
【特許請求の範囲】
【請求項１】
情報再生装置において、
前記情報再生装置において再生されるべき情報が入力される入力手段と、
前記再生されるべき情報のうち特殊再生をする場合に必要とされる特殊再生制御情報が必要か否かが選択される選択手段と、
前記選択手段によって前記特殊再生制御情報が必要ないことが選択された場合には、前記入力手段から入力された前記特殊再生制御情報の解析をせず、前記選択手段によって前記特殊再生制御情報が必要あると判断された場合には、前記入力手段から入力された前記特殊再生制御情報の解析を行なう解析手段と、
前記入力手段から入力された前記再生情報を再生する再生手段と、
を有することを特徴とする情報再生装置。
【請求項２】
請求項１に記載の情報再生装置において、
前記選択手段によって前記特殊再生制御情報が必要であることが選択されている場合には、前記入力手段から前記特殊再生制御情報および前記情報再生装置において再生されるべき再生情報が入力され、前記選択手段によって前記特殊再生制御情報を必要でないことが選択されている場合には、前記入力手段から前記特殊再生制御情報が入力されることなく前記再生情報が入力されるように制御する制御手段と、
を更に有することを特徴とする情報再生装置。
【請求項３】
請求項１または２に記載の情報再生装置において、
前記特殊再生制御情報は、前記再生情報における論理ブロック毎に含まれる少なくとも二つ以上の情報単位の前記論理ブロック中における位置を特定するための位置情報および前記情報単位の情報量をあらわす情報量情報を含む情報であることを特徴とする情報再生装置。
【請求項４】
請求項３に記載の情報再生装置において、
前記情報単位には時間軸方向に分割された時間分割情報が含まれ、前記時間分割情報には少なくとも２つ以上の種類があり、前記情報単位には前記時間分割情報の前記種類を示す識別情報が含まれ、前記特殊再生制御情報には前記識別情報に対応する対応情報が含まれることを特徴とする情報再生装置。
【請求項５】
請求項４に記載の情報再生装置において、
前記時間分割情報の種類には映像情報と音声情報とが含まれ、前記特殊再生制御情報は前記論理ブロック内における前記映像情報と前記音声情報とが記録された後に記録されていることを特徴とする情報再生装置。
【請求項６】
情報再生装置における制御方法において、
前記情報再生装置において再生されるべき情報が入力される入力工程と、
前記再生されるべき情報のうち特殊再生をする場合に必要とされる特殊再生制御情報が必要か否かが選択される選択工程と、
前記選択工程において前記特殊再生制御情報が必要ないことが選択された場合には、前記入力工程において入力された前記特殊再生制御情報の解析をせず、前記選択工程において前記特殊再生制御情報が必要あると判断された場合には、前記入力工程から入力された前記特殊再生制御情報の解析を行なう解析工程と、
前記入力工程において入力された前記再生情報を再生する再生工程と、
を有することを特徴とする情報再生装置の制御方法。
【請求項７】
情報再生装置に含まれるコンピュータを、
前記情報再生装置において再生されるべき情報が入力される入力手段、
前記再生されるべき情報のうち特殊再生をする場合に必要とされる特殊再生制御情報が必要か否かが選択される選択手段、
前記選択手段によって前記特殊再生制御情報が必要ないことが選択された場合には、前記入力手段から入力された前記特殊再生制御情報の解析をせず、前記選択手段によって前記特殊再生制御情報が必要あると判断された場合には、前記入力手段から入力された前記特殊再生制御情報の解析を行なう解析手段、
前記入力手段から入力された前記再生情報を再生する再生手段、
として機能させることを特徴とする情報再生装置の制御プログラム。
【請求項８】
請求項７に記載の情報再生装置の制御プログラムがコンピュータに読み取り可能に記録されていることを特徴とする記録媒体。
【発明の詳細な説明】
【技術分野】
【０００１】
本願は、情報再生装置の分野に関する。
【背景技術】
【０００２】
近年、性能の高いパーソナルコンピュータの普及および高速な通信回線の普及によって提供されるデータも大容量化してきており、動画ファイルを取り扱う機会が増加してきている。しかし、動画ファイルはどうしても容量が大きくなりがちで、パソコンでの扱いが大変なものとなっている。 
【０００３】
また、パソコン等の動画の圧縮形式には代表的なものとして、主にビデオＣＤ（Compact Disc）に使用されるＭＰＥＧ（Moving Picture Coding Experts Group）１や、ＤＶＤ（Digital Versatile Disc）で使用されているＭＰＥＧ２がある。ＭＰＥＧ１による画像の圧縮によると、画像は粗くなってしまうものの、ファイル容量が小さいためＣＤ等の記録容量の小さい記録媒体へ長時間にわたって、画像および音声等のデータを記録できるメリットがある。一方、ＭＰＥＧ２圧縮は映像品質が高いものの、容量が大きくなるため、記録容量の少ない記録媒体に、必要とする画像および音声等のデータを記録することは難しかった。
【０００４】
そこで、ファイルの容量を小さくし、かつ画像の劣化を少なくする圧縮技術として考案されたのがＭＰＥＧ４を基にしたＤｉｖＸである。ＤｉｖＸは、映像や音声データを圧縮・伸張する圧縮技術の一種で、その利点は、画質をそれほど落とさずにファイルサイズを小さくできる点である。最近ではＤｉｖＸファイルの再生に対応した家庭用ＤＶＤプレーヤ等の情報再生装置が市場に登場しつつある（たとえば、下記特許文献１参照。）。
【特許文献１】特願平１１−１７６１３５号公報
【発明の開示】
【発明が解決しようとする課題】
【０００５】
しかしながら、上記の従来のＤｉｖＸによって圧縮されたファイルにおいて、圧縮された画像および音声等のデータを伸張して再生する場合には、ＤｉｖＸファイルに存在するすべての情報を読み取ってから、画像および音声等のデータを再生していた。そのために、ＤｉｖＸファイル内にあるすべての制御情報を読み取るための時間およびすべての制御情報を解析するための時間が無視できず、プレーヤ等の情報再生装置が画像および音声等のデータの再生を始めるまでに、ユーザがしばらく待たされるという事態が発生していた。
【０００６】
一方、ユーザの側においても、画像および音声等のデータの再生を通常の方法で再生して視聴する場合には、ＤｉｖＸファイル内にあるすべての制御情報をプレーヤに読み込む必要がない場合もあった。
【０００７】
本発明の課題の一例は、上記不都合点を解決するためのものであり、ユーザがプレーヤ等の情報再生装置に、画像および音声等のデータが記録された記録媒体を挿入してから、画像および音声等のデータの再生が情報再生装置において開始されるまでの時間を短くすることができる情報再生装置、情報再生装置の制御方法、情報再生装置の制御プログラム、および情報再生装置の制御プログラムを提供することを目的とする。
【課題を解決するための手段】
【０００８】
本発明の請求項１に記載の情報再生装置は、前記情報再生装置において再生されるべき情報が入力される入力手段と、前記再生されるべき情報のうち特殊再生をする場合に必要とされる特殊再生制御情報が必要か否かが選択される選択手段と、前記選択手段によって前記特殊再生制御情報が必要ないことが選択された場合には、前記入力手段から入力された前記特殊再生制御情報の解析をせず、前記選択手段によって前記特殊再生制御情報が必要あると判断された場合には、前記入力手段から入力された前記特殊再生制御情報の解析を行なう解析手段と、前記入力手段から入力された前記再生情報を再生する再生手段と、を有することを特徴とする。
【０００９】
本発明の請求項６に記載の情報再生装置における制御方法は、前記情報再生装置において再生されるべき情報が入力される入力工程と、前記再生されるべき情報のうち特殊再生をする場合に必要とされる特殊再生制御情報が必要か否かが選択される選択工程と、前記選択工程において前記特殊再生制御情報が必要ないことが選択された場合には、前記入力工程において入力された前記特殊再生制御情報の解析をせず、前記選択工程において前記特殊再生制御情報が必要あると判断された場合には、前記入力工程から入力された前記特殊再生制御情報の解析を行なう解析工程と、前記入力工程において入力された前記再生情報を再生する再生工程と、を有することを特徴とする。
【００１０】
本発明の請求項７に記載の情報再生装置の制御プログラムは、情報再生装置に含まれるコンピュータを、前記情報再生装置において再生されるべき情報が入力される入力手段、前記再生されるべき情報のうち特殊再生をする場合に必要とされる特殊再生制御情報が必要か否かが選択される選択手段、前記選択手段によって前記特殊再生制御情報が必要ないことが選択された場合には、前記入力手段から入力された前記特殊再生制御情報の解析をせず、前記選択手段によって前記特殊再生制御情報が必要あると判断された場合には、前記入力手段から入力された前記特殊再生制御情報の解析を行なう解析手段、前記入力手段から入力された前記再生情報を再生する再生手段、として機能させることを特徴とする。
【発明を実施するための最良の形態】
【００１１】
次に、本願に最適な実施の形態について、図１乃至図３に基づいて説明する。図１は、本実施形態に係わる情報再生装置の構成例である。図２（ａ）は、実施形態に係わるＤｉｖＸのファイル構造を模式的に示す図である。図２（ｂ）は、実施形態に係わるＤｉｖＸファイルのインデックス情報部分を模式的に示す図である。図３は、実施形態に係わる情報再生装置のアプリケーション制御部５および再生制御部３の動作をあらわしたフローチャートである。
【００１２】
最初に、図１に基づいて、本実施形態に係わる情報再生装置のシステム構成例を説明する。
【００１３】
図１に示すように、本実施形態に係わる情報再生装置は、画像情報および音声情報等の情報がＤｉｖＸファイルとして記録されている光ディスク１等の記録媒体と、光ディスク１等の記録媒体に記憶されている情報を読み取るフロントエンド制御部２と、ユーザからの指示情報が入力される入力部としての入力部６と、入力部６から入力されたユーザ指示情報を解析する等のユーザインターフェースとしての機能を有するアプリケーション制御部５と、フロントエンド制御部２によって光ディスク１から読み取られた画像情報および音声情報等の情報のうち画像情報を画像として外部に接続されたテレビジョン装置等の画像表示装置（図示せず）に表示するための画像データを生成、および音声情報を外部に接続されたスピーカ（図示せず）から放音する音声データを生成するとともにフロントエンド制御部２およびＡＶ再生制御部を制御する解析部および制御部としての再生制御部３と、再生制御部から入力された情報を増幅およびフォーマット変換等の加工を行なうＡＶ（Audio Visual）再生制御部４とからなる。
【００１４】
最初に、フロンドエンド制御部２の動作について説明する。
【００１５】
フロンドエンド制御部２は光ディスク１等の記録媒体の情報を読み取るためのサーボ制御回路（図示せず）を有している。サーボ制御回路は光ディスク１に形成されているトラックまたはグルーブに基づいて、フロントエンド部のピックアップ部（図示せず）がトラックまたはグルーブ上をトレースするように制御する。トラックまたはグルーブ上には、画像情報、音声情報および制御情報等の情報が記録されている。したがって、サーボ制御回路の制御によってピックアップ部は光ディスク１に記録されている画像情報、音声情報および制御情報等の情報を光ディスク１から反射されるレーザ光を受光することによって取得することができる。
【００１６】
ピックアップ部によって読み取られた情報は、フロントエンド部２にあるプリアンプ部によって増幅され、増幅された信号が再生制御部３に出力される。
【００１７】
次に、入力部６について説明する。
【００１８】
入力部６はユーザとのユーザインターフェースを提供する部分である。例えば、ＡＶ再生制御部４で再生している情報をユーザに知らせるための表示部、ユーザが光ディスク１に記録されている画像情報および音声情報等の情報の再生を開始するための再生ボタン、および再生を停止するための停止ボタンなどが設けられている。
【００１９】
また、通常の再生動作とは別に早送りおよび逆戻し再生等の特殊再生用のボタンも設けられている。例えば、ユーザが光ディスク１に記録されている画像情報および音声情報等の情報を早送りするための早送りボタン、ユーザが光ディスク１に記録されている画像情報および音声情報等の情報を巻き戻して視聴するための巻き戻しボタン等である。
【００２０】
ユーザは光ディスク１に記録されている情報の再生を開始する前に、これらの特殊再生を行なうか否かを選択することができる。この特殊再生を行なうか否かの選択はユーザによって、入力部６にあるボタン等のスイッチ（図示せず）によって行なわれる。ユーザが特殊再生を行なうことを選択しない場合には、再生制御部３はフロントエンド部２に対して、光ディスク１に記録されている特殊再生制御情報を読み込まないように制御する。または、再生制御部３は読み込まれた特殊再生制御情報を解析しないようにする。
【００２１】
フロントエンド部２が、光ディスク１に記録されている特殊再生制御情報を読み込まない場合には、再生制御部３は特殊再生制御情報の解析を行なうことがないので、フロントエンド部２が光ディスク１から画像情報および音声情報等の情報を読み込んだ時点から、誤り訂正および復号された画像情報および音声情報等の情報がＡＶ再生制御部から外部のスピーカおよび表示装置に出力されるまでの時間が短縮される。再生制御部３が読み込まれた特殊再生制御情報を解析しない場合にも、フロントエンド部２が光ディスク１から画像情報および音声情報等の情報を読み込んだ時点から、誤り訂正および復号された画像情報および音声情報等の情報がＡＶ再生制御部から外部のスピーカおよび表示装置に出力されるまでの時間が短縮される。
【００２２】
一方、ユーザが入力部６に備えられたスイッチによって特殊再生を行なうことを選択した場合には、再生制御部３はフロントエンド部２に対して、光ディスク１に記録されている特殊再生制御情報を読み込むように制御する。この場合には、ユーザが入力部６を介して、特殊再生の指示をするか否かにかかわらず、再生制御部３はフロントエンド部２において読み込まれた特殊再生制御情報の解析を行なう。  
【００２３】
アプリケーション制御部５は、入力部６から入力されたユーザ指示情報を解析するとともに、情報再生装置Ｓの状態を表示する表示部を有する等のユーザインターフェースとしての機能を有する。例えば、入力部６に設けられた、ＡＶ再生制御部４で再生している情報をユーザに知らせるための表示部、ユーザが光ディスク１に記録されている画像情報および音声情報等の情報の再生を開始するための再生ボタン、および再生を停止するための停止ボタンの制御および解析を行なう。表示部には例えば、現在スピーカから再生されている楽曲のタイトル、光ディスク１における再生順番、再生されている楽曲の再生開始からの通算時間などが表示されるための制御を行なう。
【００２４】
また、入力部６において、ユーザが光ディスク１に記録されている画像情報および音声情報等の情報を早送りするための早送りボタン、ユーザが光ディスク１に記録されている画像情報および音声情報等の情報の巻き戻し再生をするための巻き戻しボタン等の特殊再生スイッチを操作した場合には、アプリケーション制御部５は、再生制御３に対して、光ディスク１から読み出した特殊再生制御情報に基づいて、光ディスク１から読み出した画像情報および音声情報等の情報の再生を行なうように制御情報を再生制御部３へ出力する。
【００２５】
次に再生制御部３について説明する。
【００２６】
再生制御部３は、フロントエンド部２が光ディスク１から読み込んだ画像情報および音声情報等の情報に対して、誤り訂正および復号等の処理を行なう。また、ユーザが入力部６から再生制御の指示を行なっている場合には、アプリケーション制御部５を介して、ユーザが指示した再生制御に基づいて、ＡＶ再生制御部４へ出力する画像情報および音声情報等の情報を編集する。
【００２７】
例えば、ユーザが入力部６から特殊再生制御として早送りを選択した場合には、再生制御部３は、光ディスク１からフロントエンド部２を介して読み出した特殊再生制御情報に基づいて、通常よりも早い速度で、画像情報および音声情報等の情報をＡＶ再生制御部４へ出力するように画像情報および音声情報等の情報を編集する。
【００２８】
ＡＶ再生制御部４は、再生制御部３から出力された情報を入力し、ＡＶ再生制御部４に接続されているスピーカから放音するように再生制御部３から出力された情報を増幅する。また、再生制御部３から出力された情報を入力し、ＡＶ再生制御部４に接続されている表示装置において画像を表示するように再生制御部３から出力された情報をフォーマット変換する。その他、ＡＶ再生制御部４に接続されている装置に合わせて、再生制御部３から出力され、ＡＶ再生制御部４に入力された情報を増幅、フォーマット変換等の加工を行なう。
【００２９】
次に図２に示されるＤｉｖＸのファイルフォーマットについて説明する。ここで、映像と画像は同義であるものとして説明する。
【００３０】
図２（ａ）はＤｉｖＸのファイルの構成を示した図である。ＤｉｖＸのファイルの先頭部分にはヘッダ部分があり、その後に映像や音声等のデータがストリーム情報としてあり、最後に特殊再生制御を行なうための特殊再生制御情報としてのインデックス情報がある。
【００３１】
ヘッダ部分は、“ＲＩＦＦ”（Resource Interchange File Format）という４文字から始まり、“ａｖｉｈ”（Audio Video Interleave Header）等の文字が続く。これらの文字を情報再生装置Ｓのフロントエンド部２を介して、再生制御部３が読み込み、解析することによって、読み取ったファイルがＤｉｖＸファイルであることが認識される。
【００３２】
更に、実際の映像および音声ストリーム情報部分の先頭には、識別子としての“ｍｏｖｉ”という文字が書かれている。この識別子であらわされる部分はチャンクと呼ばれているが、“ｍｏｖｉ”チャンクにはサブチャンクが存在し、各サブチャンクの識別子の先頭２文字はストリーム番号、後ろ２文字はデータのタイプが示されている。主なデータタイプには、“ｗｂ” (音声ストリーム)、“ｄｃ” (音声ストリーム)および“ｄｒｍ” (デジタル著作権管理ストリーム)がある。 実際の画像情報および音声情報等等の情報をあらわす映像ストリーム情報、音声ストリーム情報およびデジタル著作権管理情報はサブチャンクの識別子に続いて記録されている。図２（ａ）における各ストリーム情報の識別子の意味は、例えば“００ｗｂ”の場合は「ストリーム番号０の音声ストリーム情報」であることを意味する。このように画像情報、音声情報およびデジタル著作権管理情報の内容である各ストリーム情報は時間分割されて記録されている。
【００３３】
図２（ｂ）は、（ａ）で示されるＤｉｖＸのファイルの構成中における最後の部分のＩＮＤＥＸ情報における詳細を示した図である。
【００３４】
ＩＮＤＥＸ情報部分の先頭には識別子である“ｉｄｘ１”が記録されている。識別子“ｉｄｘ１”に続いてＩＤ部分が記録されている。ＩＤ部分には、映像・音声ストリーム情報の識別子等が記録されている。例えば、“＊＊ｄｃ”、“＊＊ｗｂ”、“＊＊ｄｄ”等の情報が記録されている。この識別情報は、映像・音声ストリーム情報部分の識別記号と同じ意味を有しており、“ｗｂ” は音声ストリーム情報を示し、“ｄｃ”は音声ストリーム情報を示し、“ｄｒｍ”はデジタル著作権管理ストリーム情報を示している。
【００３５】
ＩＤ部分に続いて、オフセット情報が記録されている。オフセット情報には、ＩＤ部分によって特定されるストリーム情報がＤｉｖＸ１ファイル内のどの部分に位置しているかを示す位置情報とそのストリーム情報がどの程度の大きさであるかを示す情報が記録されている。
【００３６】
これらの文字を情報再生装置Ｓのフロントエンド部２を介して、再生制御部３が読み込み、解析することによって、読み取ったＩＤ部分によって特定される映像ストリーム情報、画像ストリーム情報およびデジタル情報管理情報が、ＤｉｖＸファイル内のどの位置にあるかが認識される。
【００３７】
例えば、ユーザが入力部６の早送りスイッチを選択して映像データを早送りしたい場合には、再生制御部３は図２（ｂ）で示されるＩＮＤＥＸ情報部分を解析し、映像ストリーム情報の位置する部分を認識する。そして、再生制御部３は映像ストリーム情報を通常の速度よりも早く読み出すことによって、または映像ストリーム部分を順番に読み出すのではなく、ＩＮＤＥＸ情報に基づいて、不連続に存在する映像ストリーム情報部分を幾つか飛び越して（飛び越すストリーム数は、ＩＮＤＥＸ情報部分に記録されている各ストリームの大きさを表す情報と、入力部６から入力された早送り速度等の情報によって再生制御部３が決定する。）、飛び越した先の映像ストリーム情報部分を読み出し、生成し、ＡＶ再生制御部分４に早送りされた状態になったデータを出力して外部に接続された表示装置に早送り画像データを表示する。
【００３８】
一方、ユーザが早送り、巻き戻し再生等の特殊再生制御を望んでいない場合には、フロントエンド部２は、図２（ａ）で示されるＤｉｖＸファイルをヘッダ部分から読み出し、実際の映像・音声ストリーム部分まで読み込んでＤｉｖＸファイルの読み出しを終了する。すなわち、特殊再生制御を行なわない場合にはＩＮＤＥＸ情報部分を読み出す必要がないのである。この場合には、ＤｉｖＸファイルが書き込まれた光ディスク１に対して、フロンドエンド部２がアクセスする頻度が減少するので、光ディスク１の寿命が延びるという利点がある。
【００３９】
また、ＩＮＤＥＸ情報が情報再生装置Ｓに読み込まれることがないので、再生制御部３において、ＩＮＤＥＸ情報を解析する時間が無くなるので、光ディスク１からＤｉｖＸファイルを読み込んでから、ＡＶ再生制御部４に接続されたスピーカから音が再生されるまでの時間および液晶テレビ、プラズマテレビ等の画像表示装置に画像が表示されるまでの時間が短縮される。その結果、光ディスク１を情報再生装置Ｓにセットしてから、音を聞き、また画像を見るまでのユーザの待ち時間が短くなるので、ユーザにとって快適な環境状態でＡＶ情報の視聴を楽しむことができるようになる。
【００４０】
なお、ＩＮＤＥＸ情報を、フロントエンド部２を介して情報再生装置Ｓが読み込まない場合には、ＤｉｖＸファイルの先頭から順番に、映像ストリーム情報および音声ストリーム情報を、再生制御部３は映像情報および音声情報として再生する。再生制御部３は再生された映像情報および音声情報をＡＶ再生制御装置４に出力し、ＡＶ再生制御装置４は、入力された映像情報および音声情報を加工して、ＡＶ再生制御装置４に接続された画像表示装置およびスピーカに映像情報および音声情報を出力する。この場合には、ユーザは、テレビ番組をライブで視聴しているのと同様に、通常の速度で再生される音と映像を楽しむことができる。
【００４１】
なお、ＩＮＤＥＸ情報が他の情報とともに情報再生装置Ｓに読み込まれたとしても、ＩＮＤＥＸ解析を行なわないで再生することによって再生開始までの時間が通常の再生のときよりも短縮される。
【００４２】
次に、図３を用いて本実施形態における動作をフローチャートを用いて説明する。
【００４３】
図３（ａ）は、本実施形態におけるアプリケーション制御部５の動作を示すフローチャートである。
【００４４】
ステップＳ１において、入力部６を介して、ユーザがＤｉｖＸ時短モードを選択したか否かが判断される。このＤｉｖＸ時短モードとは、ＤｉｖＸファイルからＩＮＤＥＸ情報を読み込まずに（または再生制御部３で読み込まれたＩＮＤＥＸ情報の解析を行なわずに）、ＤｉｖＸに記録された、映像や音声情報としてのストリーム情報を、ＤｉｖＸに時分割に記録された順番に生成する通常の再生モードをあらわす。
【００４５】
ＤｉｖＸ時短モードが選択されている場合には、ステップＳ２に進み、ＤｉｖＸ時短モードが選択されていない場合には、ステップＳ３に進む。次にステップＳ３に進む。
【００４６】
ステップＳ３において、アプリケーション制御部５は、ユーザによってＤｉｖＸ時短モードが選択されていないことを示す情報を再生制御部３へ出力する。そして、アプリケーション制御部５の動作は終了する。また、この場合には、入力部６を介して、ユーザが次にどのような指示をするかを解析する待ち受け状態にアプリケーション制御部５が移行してもよい。
【００４７】
ステップＳ２において、アプリケーション制御部５は、ユーザによってＤｉｖＸ時短モードが選択されていることを示す情報を再生制御部３へ出力する。そして、アプリケーション制御部５の動作は終了する。また、この場合にも、入力部６を介して、ユーザが次にどのような指示をするかを解析する待ち受け状態にアプリケーション制御部５が移行してもよい。
【００４８】
次に、図３（ｂ）を用いて、再生制御部３の動作をフローチャートを用いて説明する。
【００４９】
ステップＳ４において、再生制御部３は、フロントエンド部２を介して、光ディスク１に記録されているＤｉｖＸファイル内の映像および画像データを含む情報を読み取る。この場合において、ユーザがＤｉｖＸ時短モードを選択していることがあらかじめ分かっている場合には、ＤｉｖＸファイル内にＩＮＤＥＸ情報を読み込まないこともできる。次にステップＳ５に進む。
【００５０】
ステップＳ５において、再生制御部３は、フロントエンド部２を介して読み込んだＤｉｖＸファイル情報内のヘッダ部分にどのような情報が記録されているかを解析する。本実施形態では、再生制御部３は“ＲＩＦＦ”および“ａｖｉｈ”がＤｉｖＸファイル情報内のヘッダ部分に書き込まれていることを認識する。次に、ステップＳ６に進む。
【００５１】
ステップＳ６において、再生制御部３は、アプリケーション制御部５からユーザがＤｉｖＸ時短モードを選択していることを示す情報が入力されているか否かを判定する。ＤｉｖＸ時短モードを選択していることを示す情報が入力されていない場合にはステップＳ７に進む。ＤｉｖＸ時短モードを選択していることを示す情報が入力されている場合にはそのまま終了する。この場合において、ユーザが引き続きＤｉｖＸファイルの内容を視聴することを決定した情報が、入力部６およびアプリケーション部５を介して再生制御部３に入力されている場合には、再生制御部３はＤｉｖＸファイル内の情報の再生を開始する。
【００５２】
ステップＳ７において、再生制御部３は、ＤｉｖＸファイルのＩＮＤＥＸ情報の解析を行なう。特殊再生を行なうために、映像および画像等のストリームの種類毎に、ＤｉｖＸファイルのどの位置にどの種類のストリーム情報があるかという情報とそのストリーム情報の大きさを再生制御部３の図示しない記憶部に記憶する。入力部６およびアプリケーション制御部５を介して特殊再生指示がユーザから指定されると、再生制御部６はＤｉｖＸのファイル内の映像および音声情報をＩＮＤＥＸ情報に基づいて特殊再生する。
【００５３】
なお、図３のフローチャートを、フレキシブルディスク等の記録媒体に予め記録しておき、或いはインターネット等のネットワークを介して予め記録しておき、これを汎用のマイクロコンピュータ等により読み出して実行することにより、当該汎用のマイクロコンピュータ等を実施形態に係わるＣＰＵとして機能させることも可能である。
【００５４】
上記実施形態においては、ＤｉｖＸファイルについて説明してきたが、本願はＤｉｖＸファイルだけに適用されるわけではない。映像および音声等の情報において任意なオフセット情報としてのインデックス情報が、映像および音声等の情報とともに記録されるファイルフォーマットであれば、どのようなフォーマットに対しても本願を適用することが可能である。例えば、ＭＰＥＧ４における音声情報のフォーマットであるＡＡＣ（Advanced Audio Code）に対しても本願を適用することができる。
【００５５】
上記実施形態においては、ＤｉｖＸファイルの記録媒体として光ディスク（ＣＤ、ＤＶＤ等の光ディスク） について説明したが、記録媒体はこれに限られるわけではなく、ＨＤ（Hard Disc）、フラッシュメモリ等の半導体メモリ、フロッピーディスク等の記録媒体にも本願を適用することができる。
【００５６】
また、ＤｉｖＸの時短モードはリモコン部分またはモニター画面から設定することも可能である。
【００５７】
インデックス情報（ＩＮＤＥＸ情報）の解析を行なうと、インデックス情報を取得するための時間がかかってしまうのでＤｉｖＸファイルに記録された画像および音声情報を再生するまでの時間がかかっていたが、ＤｉｖＸ時短モードを利用することにより、画像情報および音声情報が再生されるまでの時間が短縮される。
【００５８】
また、ＤｉｖＸ時短モードを必要に応じてＯＦＦ設定にすることにより、早送り（ＦＦ: Fast Feed）および巻き戻し再生（ＲＥＶ：Reverse）等の特殊再生動作を行なう場合には、タイムサーチ等の機能を行なったことの無い場所へのサーチが可能になる。
【００５９】
このようにユーザはユーザの必要性に応じて、ＤｉｖＸ時短モードの設定をＯＮおよびＯＦＦ設定することが自由になり、情報再生装置の使い勝手が向上した。
【００６０】
すなわち、ＤｉｖＸファイルに記録されている画像情報および音声情報等の情報を再生するまでの時間を短縮することが可能となった。
【００６１】
また、ＤｉｖＸ時短モードの設定をＯＮにすることにより、インデックス情報を有する記録媒体へのアクセス頻度が減少するので、記録媒体との情報再生装置におけるインターフェース部分の寿命が延びるという効果も有する。
【００６２】
さらに、ＤｉｖＸ時短モードの設定をＯＮのみにするにようなシステムにおいては、インデックス情報を記憶しておくべき領域が削減されるので、記憶部の記憶容量を削減することができ、システム全体のコストダウンを図ることができる。
【００６３】
さらに、本実施形態においては、情報再生装置で本願を適用できることを説明したが、これに限られるわけではなく、ＤＶＤレコーダー、ＤＶＤプレーヤ、ＨＤＤ（Hard Disc Drive）、パーソナルコンピュータおよびカーステレオ等の機器に本願を適用することができる。
【図面の簡単な説明】
【００６４】
【図１】本実施形態に係わる情報再生装置Ｓのブロック図である。
【図２】（ａ）は、実施形態に係わるＤｉｖＸのファイル構造を模式的に示す図である。（ｂ）は、実施形態に係わるＤｉｖＸファイルのインデックス情報部分を模式的に示す図である。
【図３】図３は、実施形態に係わる情報再生装置のアプリケーション制御部および再生制御部の動作をあらわしたフローチャートである。
【符号の説明】
【００６５】
１…光ディスク
２…フロントエンド制御部
３…再生制御部
４…ＡＶ再生制御部
５…アプリケーション制御部
６…入力部
【図１】
2007280557.tif 000003
【図２】
2007280557.tif 000004
【図３】
2007280557.tif 000005